【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
２層以上の複数の記録再生層を有する光ディスクメディアにデータを記録再生する光ディスク装置であって、
記録再生対象の記録再生層に対して専用にレーザ光を集光するレーザ光源とこの記録再生層からの反射光を専用に受光する受光素子とを有する光学系を、前記複数の記録再生層に１対１対応で複数個を具備する、
ことを特徴とする光ディスク装置。
【請求項２】
２層以上の複数の記録再生層を有する光ディスクメディアにデータを記録再生する光ディスク装置であって、
記録再生対象の記録再生層に対して専用にレーザ光を集光するレーザ光源とこの記録再生層からの反射光を専用に受光する受光素子との組を、前記複数の記録再生層に１対１対応で複数組有する光学系を具備する、
ことを特徴とする光ディスク装置。
【請求項３】
前記レーザ光源の前記記録再生対象の記録再生層からの光学距離は、このレーザ光源から出力されるレーザ光が前記記録再生対象の記録再生層に集光される値であり、且つ、前記受光素子の受光面は、前記記録再生対象の記録再生層からの反射光の合焦点位置に配置されることを特徴とする請求項２記載の光ディスク装置。
【請求項４】
前記レーザ光源と受光素子の組以外の前記光学系を構成する光学部品は、各記録再生層を記録再生する際に共通に用いられることを特徴とする請求項２記載の光ディスク装置。
【請求項５】
前記レーザ光源と受光素子の組は全て集積光学素子に内蔵されていることを特徴とする請求項２記載の光ディスク装置。
【請求項６】
前記レーザ光源はモノリシックの複数ビームレーザ素子で、レーザの出射側に近接して配置された光路長変更光学素子を具備し、この複数ビームレーザ素子から出力される複数のレーザビームが前記複数の記録再生層に１対１対応しており、この共通の１個の複数ビームレーザ素子と前記複数の記録再生層に１対１対応する複数の受光素子により前記複数の組が形成されることを特徴とする請求項２記載の光ディスク装置。
【請求項７】
前記レーザ光源はモノリシックの２ビームレーザ素子であり、この共通の１個の２ビームレーザ素子と２層の記録再生層に１対１対応する２個の受光素子とを有することを特徴とする請求項６記載の光ディスク装置。
【請求項８】
前記受光素子は前記複数の記録再生層からの反射光を１対１対応で受光する複数の光電変換層を有する複数層受光素子で、この共通の１個の複数層受光素子と前記複数の記録再生層に１対１対応する複数のレーザ光源により前記複数の組が形成されることを特徴とする請求項２記載の光ディスク装置。
【請求項９】
前記複数層受光素子は、１層の受光素子を複数個接続部材を用いて積層して成ることを特徴とする請求項８記載の光ディスク装置。
【請求項１０】
前記受光素子は２層の受光素子で、この共通の１個の２層の受光素子と前記複数の記録再生層に１対１対応する２個のレーザ光源を有することを特徴とする請求項９記載の光ディスク装置。
【請求項１１】
２層以上の複数の記録再生層を有する光ディスクメディアにデータを記録再生する光学ピックアップであって、
記録再生対象の記録再生層に対して専用にレーザ光を集光するレーザ光源と、この記録再生層からの反射光を専用に受光する受光素子とを有する光学系を、前記複数の記録再生層に１対１対応で複数個を具備する、
ことを特徴とする光学ピックアップ。
【請求項１２】
２層以上の複数の記録再生層を有する光ディスクメディアにデータを記録再生する光学ピックアップであって、
記録再生対象の記録再生層に対して専用にレーザ光を集光するレーザ光源とこの記録再生層からの反射光を専用に受光する受光素子との組を、前記複数の記録再生層に１対１対応で複数組有する光学系を具備する、
ことを特徴とする光学ピックアップ。
【手続補正２】
【補正対象書類名】明細書
【補正対象項目名】発明の名称
【補正方法】変更
【補正の内容】
【発明の名称】光ディスク装置および光学ピックアップ
【手続補正３】
【補正対象書類名】明細書
【補正対象項目名】０００１
【補正方法】変更
【補正の内容】
【０００１】
本発明は、光ディスク装置および光学ピックアップに係り、特に光ディスクにレーザ光を照射すると共に、ディスクからの反射光を受光する光学系に関する。
【手続補正４】
【補正対象書類名】明細書
【補正対象項目名】００１３
【補正方法】変更
【補正の内容】
【００１３】
本発明は前記事情に鑑み案出されたものであって、本発明の目的は、複数層を有するディスクメディアの記録再生対象層へのフォーカスジャンプを高速に行って、層切り替え再生を連続的に行うことができる光ディスク装置および光学ピックアップを提供することにある。
【手続補正５】
【補正対象書類名】明細書
【補正対象項目名】００１４
【補正方法】変更
【補正の内容】
【００１４】
本発明は上記目的を達成するため、２層以上の複数の記録再生層を有する光ディスクメディアにデータを記録再生する光ディスク装置であって、記録再生対象の記録再生層に対して専用にレーザ光を集光するレーザ光源とこの記録再生層からの反射光を専用に受光する受光素子とを有する光学系を、前記複数の記録再生層に１対１対応で複数個を具備することを特徴とする。
また、本発明は、２層以上の複数の記録再生層を有する光ディスクメディアにデータを記録再生する光ディスク装置であって、記録再生対象の記録再生層に対して専用にレーザ光を集光するレーザ光源とこの記録再生層からの反射光を専用に受光する受光素子との組を、前記複数の記録再生層に１対１対応で複数組有する光学系を具備することを特徴とする。
【手続補正６】
【補正対象書類名】明細書
【補正対象項目名】００１５
【補正方法】変更
【補正の内容】
【００１５】
また本発明は、２層以上の複数の記録再生層を有する光ディスクメディアにデータを記録再生する光学ピックアップであって、記録再生対象の記録再生層に対して専用にレーザ光を集光するレーザ光源と、この記録再生層からの反射光を専用に受光する受光素子とを有する光学系を、前記複数の記録再生層に１対１対応で複数個を具備することを特徴とする。
また本発明は、２層以上の複数の記録再生層を有する光ディスクメディアにデータを記録再生する光学ピックアップであって、記録再生対象の記録再生層に対して専用にレーザ光を集光するレーザ光源とこの記録再生層からの反射光を専用に受光する受光素子との組を、前記複数の記録再生層に１対１対応で複数組有する光学系を具備することを特徴とする。
【手続補正７】
【補正対象書類名】明細書
【補正対象項目名】００２０
【補正方法】変更
【補正の内容】
【００２０】
図１は、本発明の第１の実施の形態に係る光ディスク装置および光学ピックアップの光学系の構成を示したブロック図である。本実施の形態の光学系は、半導体レーザ４１、偏光ビームスプリッタ４２、λ／４波長板４５、対物レンズ４３、光検出器４４を有して成るＬ０層用の第１の光学系と、半導体レーザ５１、偏光ビームスプリッタ５２、λ／４波長板５５、対物レンズ５３、光検出器５４を有して成るＬ１層用の第２の光学系から構成されている。
【手続補正８】
【補正対象書類名】明細書
【補正対象項目名】００２６
【補正方法】変更
【補正の内容】
【００２６】
図２は、本発明の第２の実施の形態に係る光ディスク装置および光学ピックアップの光学系の構成を示したブロック図である。但し、第１の実施の形態と同様の部分には同一符号を付して説明する。本実施の形態の光学系は、２個の半導体レーザ４１、５１、ビームスプリッタ６１、偏光ビームスプリッタ６２、λ／４波長板６５、対物レンズ６４、ビームスプリッタ６３、２個の光検出器４４、５４を有して構成され、Ｌ０層、Ｌ１層兼用の光学系である。
【手続補正９】
【補正対象書類名】明細書
【補正対象項目名】００３１
【補正方法】変更
【補正の内容】
【００３１】
図３は、本発明の第３の実施の形態に係る光ディスク装置および光学ピックアップの光学系の構成を示したブロック図である。本実施の形態の光学系は、集積光学素子９１、対物レンズ９８を有して構成されている。ここで、集積光学素子９１の構造は従来のそれとほとんど同じであるが（図８参照）、Ａに示した拡大図にあるように、サブマウント９２に２個の半導体レーザ９３と９４が取り付けてあり、半導体レーザ９３又は、半導体レーザ９４から出射されたレーザ光はミラー９５により立ち上げられて、λ／４波長板９７を通して対物レンズ９８に入射されるようになっている。
【手続補正１０】
【補正対象書類名】明細書
【補正対象項目名】００４０
【補正方法】変更
【補正の内容】
【００４０】
【図１】本発明の第１の実施の形態に係る光ディスク装置および光学ピックアップの光学系の構成を示したブロック図である。
【図２】本発明の第２の実施の形態に係る光ディスク装置および光学ピックアップの光学系の構成を示したブロック図である。
【図３】本発明の第３の実施の形態に係る光ディスク装置および光学ピックアップの光学系の構成を示したブロック図である。
【図４】図３に示した２個の半導体レーザの他の実施例を示した図である。
【図５】図３に示した２層の受光素子の詳細実施例を示した図である。
【図６】図３に示した２層の受光素子の他の詳細実施例を示した図である。
【図７】従来の２層メディア対応の光ピックアップに内蔵される光学系を示したブロック図である。
【図８】図７に示した従来の集積光学素子の構造例を示した図である。
【図９】２層光ディスクメディアでのフォーカスジャンプについて説明する図である。
【図１０】図９に示した２層光ディスクメディアの各層に焦点を合わせる際のフォーカスエラー信号を示した図である。
【図１１】図７に示した集積素子内のＰＤＩＣに搭載されている受光素子の一般的な構成を示した図である。